(57)【要約】【課題】生体の所定物質の濃度を、優れた信頼性で測定することができる生体情報取得システムおよび生体情報取得方法を提供すること。【解決手段】本発明の生体情報取得システムは、励起光を発光し、生体へ照射するための光源と、前記生体に埋め込むためのセンサー物質であって、前記励起光を受けて、前記生体における所定物質の濃度に応じた第１の光を放出する信号物質と、前記濃度に影響されない第２の光を放出する基準物質と、を含むセンサー物質と、前記第１の光を受光するための第１の受光部と、前記第２の光を受光するための第２の受光部と、を有し、前記第１の受光部の受光結果を、前記第２の受光部の受光結果によって補正して、前記濃度を算出することを特徴とする。【選択図】図３
2018149157.tif 000002
【特許請求の範囲】
【請求項１】
励起光を発光し、生体へ照射するための光源と、
前記生体に埋め込むためのセンサー物質であって、前記励起光を受けて、前記生体における所定物質の濃度に応じた第１の光を放出する信号物質と、前記濃度に影響されない第２の光を放出する基準物質と、を含むセンサー物質と、
前記第１の光を受光するための第１の受光部と、
前記第２の光を受光するための第２の受光部と、を有し、
前記第１の受光部の受光結果を、前記第２の受光部の受光結果によって補正して、前記濃度を算出することを特徴とする生体情報取得システム。
【請求項２】
前記第２の受光部で受光した前記第２の光の強度に基づいて、前記第２の受光部と、前記センサー物質との間の離間距離を求める請求項１に記載の生体情報取得システム。
【請求項３】
前記離間距離と、前記第１の受光部で受光した前記第１の光の強度に基づいて、前記補正がなされた前記濃度を求める請求項２に記載の生体情報取得システム。
【請求項４】
前記補正は、前記光源の周波数を用いて、前記第１の受光部の受光結果と、前記第２の受光部の受光結果とを同期検波する請求項１ないし３のいずれか１項に記載の生体情報取得システム。
【請求項５】
前記第１の受光部の受光結果を、前記第２の受光部の受光結果によって補正して、前記濃度を演算する演算部を有する請求項１ないし４のいずれか１項に記載の生体情報取得システム。
【請求項６】
前記所定物質は、グルコースである請求項１ないし５のいずれか１項に記載の生体情報取得システム。
【請求項７】
光源からの励起光を受けて、生体における所定物質の濃度に応じた第１の光を放出する信号物質と、前記濃度に影響されない第２の光を放出する基準物質と、を含み、かつ、予め前記生体に埋め込まれたセンサー物質に、前記励起光を照射する励起光照射ステップと、
第１の受光部を用いて前記第１の光を受光して、前記第１の受光部の受光結果を得る第１受光ステップと、
第２の受光部を用いて前記第２の光を受光して、前記第２の受光部の受光結果を得る第２受光ステップと、
前記第１の受光部の受光結果を、前記第２の受光部の受光結果によって補正して、前記濃度を求める演算ステップとを有することを特徴とする生体情報取得方法。
【請求項８】
前記演算ステップにおいて、前記第２の受光部で受光した前記第２の光の強度に基づいて、前記第２の受光部と、前記センサー物質との間の離間距離を求める請求項７に記載の生体情報取得方法。
【請求項９】
前記演算ステップにおいて、前記離間距離と、前記第１の受光部で受光した前記第１の光の強度に基づいて、前記補正がなされた前記濃度を求める請求項８に記載の生体情報取得方法。
【発明の詳細な説明】
【技術分野】
【０００１】
近年の健康志向の向上に伴って、特定の個人における血液、間質液、唾液、汗のような体液中における血糖値、乳酸値、抗体量および酵素量等を経時的に測定して、健康管理を実施することが行われている。
【０００２】
例えば、糖尿病患者にとって、血糖値の経時的な測定（モニタリング）は、特に、重要である。
【０００３】
ここで、糖尿病患者はその症状によりＩ型とＩＩ型とに分けられるが、ともに膵臓からのインスリン分泌が正常ではなく、これにより、体内臓器がブドウ糖（グルコース）を正常に取り込むことが出来なくなり、代謝異常をきたし体重も減少する。さらには、血糖値の高い状態が長期間にわたって保たれていると、「糖尿病性網膜症」、「糖尿病性腎症」「糖尿病性細小血管障害」、「糖尿病性神経障害」等の重篤な合併症が発症してしまうことが知られている。このような重篤な合併症の発症を防止することを目的に、高血糖状態が続く患者はインスリンを注射により投与することで血糖値を正常な範囲内に維持させる治療方法がとられているのが現状である。
【０００４】
Ｉ型糖尿病の患者は、膵臓疾患によりインスリンの分泌が全く無い為に、一日数回（最低食事前と就寝前の４回）の採血による血糖値測定を行い、インスリン投与をしなければならない。投与のタイミングとしては食後血糖値の過度な上昇を抑えるためには食前の血糖値を測定し、食事量のカロリーを計算した上でインスリンの投与量を決定し、食前に注射投与をおこなっている。また、血糖値の上昇として知られているのは「暁現象」と称される症状で、就寝８〜１０時間後の明け方に血糖値が上昇する。しかしながら、この生理現象に対処するためには夜明け前に一度起きて、採血による血糖値測定を行い、高血糖であればインスリンを投与する必要がある。
【０００５】
以上のことから所望のタイミングで、血糖値を測定し得る装置が必要とされ、この装置として、例えば、血糖値センサーを用いて、患者の血液や間質液中におけるグルコース濃度を、励起光の照射により蛍光を発光する発光物質を利用して測定するものの提案がなされている。
【０００６】
この蛍光物質を用いたグルコース定量測定の基本原理としては、蛍光物質は、グルコースが結合しているときと、結合していないときとでは異なる波長（ピーク波長）の蛍光を発光する。そのため、蛍光物質に励起光を照射し、この際に、蛍光物質がグルコースと結合しているときに発光する蛍光の発光強度を測定し、この発光強度に基づいて、グルコースの量を算出することが可能となる。このような蛍光物質を用いることで、血糖値をモニターすることが可能となることによる。
【０００７】
ところで、近年、上述したようなタイミングで測定することが求められる血糖値のモニターを、患者および患者の家族のＱＯＬを向上させるために、経時的（連続的）かつ自動的に実施する測定装置として、血糖値センサーを体内（真皮）に埋め込み、患者の間質液中におけるグルコース濃度を長期に亘って監視する目的のデバイス、いわゆる、蛍光物質を利用した連続式グルコースモニター（ＣＧＭ）装置の提案がなされている。
【０００８】
この連続式グルコースモニター（ＣＧＭ）装置では、例えば、上述した蛍光物質を含有する膜（センサー）等を、真皮に埋設させた状態とすることで、蛍光物質を用いた間質液中におけるグルコース濃度の測定を経時的（連続的）かつ自動的に実施することが提案されている。
【０００９】
例えば、特許文献１では、測定装置の本体を、カプセル状をなし、この本体の外周部に蛍光物質を含む膜（蛍光インジケーター）を備え、また、本体の内部に、蛍光物質へ励起光を照射する光源（放射線源）と、蛍光物質が発光した蛍光を受光する受光部（検知器）とを備えるものとし、この本体を、体内（真皮）に埋め込む構成の測定装置が提案されている。
【００１０】
また、特許文献２では、蛍光物質を、ゲル状をなすビーズ（ゲルビーズ）とし、このゲルビーズを体内（真皮）に埋め込み、さらに、測定装置の本体を、その内部に、蛍光物質へ励起光を照射する光源と、蛍光物質が発光した蛍光を受光する受光部（光検出器）とを備えるものとし、この本体を、表皮に装着する構成の測定装置が提案されている。
【００１１】
ところが、引用文献１、２の測定装置では、太陽光や照明光等の光源以外の外光に起因するノイズが生じたり、引用文献２の測定装置では、蛍光物質と受光部との離間距離に表皮への本体の装着の度に差が発生し、これに起因して、受光部において受光する蛍光の発光強度にズレが生じてしまう。そのため、蛍光物質が発光する蛍光の発光強度に基づいて算出されるグルコース濃度にもズレが生じてしまう。したがって、かかる構成の測定装置による測定では、優れた信頼性をもってグルコース濃度を測定することができないと言う問題があった。
【００１２】
なお、このような問題は、間質液中におけるグルコース濃度を、測定された蛍光物質の発光強度に基づいて算出する測定装置（生体情報取得システム）の他、体液中の乳酸値、抗体量および酵素量等の所定物質を蛍光物質の発光強度に基づいて算出する測定装置（生体情報取得システム）においても同様に生じている。
【先行技術文献】
【特許文献】
【００１３】
【特許文献１】特開２０１１−１０７１２９号公報
【特許文献２】特開２０１４−４０４４３号公報
【発明の概要】
【発明が解決しようとする課題】
【００１４】
本発明の目的の一つは、生体の所定物質の濃度を、優れた信頼性で測定することができる生体情報取得システムおよび生体情報取得方法を提供することにある。
【課題を解決するための手段】
【００１５】
このような目的は、下記の本発明により達成される。
本発明の生体情報取得システムは、励起光を発光し、生体へ照射するための光源と、
前記生体に埋め込むためのセンサー物質であって、前記励起光を受けて、前記生体における所定物質の濃度に応じた第１の光を放出する信号物質と、前記濃度に影響されない第２の光を放出する基準物質と、を含むセンサー物質と、
前記第１の光を受光するための第１の受光部と、
前記第２の光を受光するための第２の受光部と、を有し、
前記第１の受光部の受光結果を、前記第２の受光部の受光結果によって補正して、前記濃度を算出することを特徴とする。
【００１６】
これにより、本発明の生体情報取得システムにおいて、優れた信頼性で所定物質の濃度を測定することができる。
【００１７】
本発明の生体情報取得システムでは、前記第２の受光部で受光した前記第２の光の強度に基づいて、前記第２の受光部と、前記センサー物質との間の離間距離を求めることが好ましい。
【００１８】
このように、前記第２の受光部の受光結果として、第２の受光部で受光した前記第２の光の強度を用いることで、前記第２の受光部と、前記センサー物質との間の離間距離を求めることができる。
【００１９】
本発明の生体情報取得システムでは、前記離間距離と、前記第１の受光部で受光した前記第１の光の強度に基づいて、前記補正がなされた前記濃度を求めることが好ましい。
【００２０】
このように、前記第１の受光部の受光結果として、第１の受光部で受光した前記第１の光の強度を用いることで、この前記第１の光の強度と、前記離間距離とから、前記補正がなされた前記濃度を求めることができる。
【００２１】
本発明の生体情報取得システムでは、前記補正は、前記光源の周波数を用いて、前記第１の受光部の受光結果と、前記第２の受光部の受光結果とを同期検波することが好ましい。
【００２２】
このような同期検波を用いることで、特に、太陽光や照明光等の外光が第１の受光部および第２の受光部の少なくとも一方に入り込むことに起因するノイズをより確実に低減させることができる。その結果、算出される所定物質の濃度が、より優れた信頼性を有するものとして得られることとなる。
【００２３】
本発明の生体情報取得システムでは、前記第１の受光部の受光結果を、前記第２の受光部の受光結果によって補正して、前記濃度を演算する演算部を有することが好ましい。
【００２４】
このような演算部を備えることで、前記濃度を本発明の整体情報システムを用いて求めることができる。
【００２５】
本発明の生体情報取得システムでは、前記所定物質は、グルコースであることが好ましい。
【００２６】
本発明の生体情報取得システムは、所定物質としてのグルコースの濃度の算出に好適に適用され、所定物質としてのグルコース濃度を、優れた信頼性で測定することができる。
【００２７】
本発明の生体情報取得方法は、光源からの励起光を受けて、生体における所定物質の濃度に応じた第１の光を放出する信号物質と、前記濃度に影響されない第２の光を放出する基準物質と、を含み、かつ、予め前記生体に埋め込まれたセンサー物質に、前記励起光を照射する励起光照射ステップと、
第１の受光部を用いて前記第１の光を受光して、前記第１の受光部の受光結果を得る第１受光ステップと、
第２の受光部を用いて前記第２の光を受光して、前記第２の受光部の受光結果を得る第２受光ステップと、
前記第１の受光部の受光結果を、前記第２の受光部の受光結果によって補正して、前記濃度を求める演算ステップとを有することを特徴とする。
【００２８】
これにより、本発明の生体情報取得方法において、優れた信頼性で所定物質の濃度を測定することができる。
【００２９】
本発明の生体情報取得方法では、前記演算ステップにおいて、前記第２の受光部で受光した前記第２の光の強度に基づいて、前記第２の受光部と、前記センサー物質との間の離間距離を求めることが好ましい。
【００３０】
このように、前記第２の受光部の受光結果として、第２の受光部で受光した前記第２の光の強度を用いることで、前記第２の受光部と、前記センサー物質との間の離間距離を求めることができる。
【００３１】
本発明の生体情報取得方法では、前記演算ステップにおいて、前記離間距離と、前記第１の受光部で受光した前記第１の光の強度に基づいて、前記補正がなされた前記濃度を求めることが好ましい。
【００３２】
このように、前記第１の受光部の受光結果として、第１の受光部で受光した前記第１の光の強度を用いることで、この第１の光の強度と、前記離間距離とから、前記補正がなされた前記濃度を求めることができる。
【図面の簡単な説明】
【００３３】
【図１】本発明の生体情報取得システムの第１実施形態を模式的に示す斜視図である。
【図２】本発明の生体情報取得システムの第１実施形態が有する検出素子を皮膚に装着した状態を示す側面図である。
【図３】図２に示す検出素子が備える本体部を示す縦断面図である。
【図４】図１に示す生体情報取得システムの回路構成を示すブロック図である。
【図５】第１実施形態の生体情報取得システムを用いて、グルコース濃度を測定する測定方法を示すフローチャートである。
【図６】本発明の生体情報取得システムの第２実施形態が有する検出素子が備える本体部を示す縦断面図である。
【図７】第２実施形態の生体情報取得システムを用いて、グルコース濃度を測定する測定方法を示すフローチャートである。
【発明を実施するための形態】
【００３４】
以下、本発明の生体情報取得システムおよび生体情報取得方法を添付図面に示す実施形態に基づいて詳細に説明する。
【００３５】
なお、本実施形態では、本発明の生体情報取得システム（測定装置）を、間質液中におけるグルコース濃度を、間質液に接触した状態の蛍光物質（信号物質）で発光された蛍光の強度に基づいて、長期に亘って連続的かつ自動的に監視する連続式グルコースモニター（ＣＧＭ）装置（埋込み型連続血糖計）に適用した場合を一例に説明する。
【００３６】
すなわち、所定物質（被対象物質）としてのグルコースの濃度を、連続式グルコースモニター（ＣＧＭ）装置を用いて経時的かつ自動的に測定する場合を一例に説明する。この連続式グルコースモニター（ＣＧＭ）装置では、所定物質としてのグルコースの濃度（グルコース濃度）が、グルコースとの結合に応じて所定の波長の蛍光（第１の光）を発光（放出）する蛍光物質（信号物質）の蛍光の強度を測定し、この強度を用いることで算出される。
【００３７】
＜生体情報取得システム（測定装置）＞
＜＜第１実施形態＞＞
まず、本発明の生体情報取得システムの第１実施形態について説明する。
【００３８】
図１は、本発明の生体情報取得システムの第１実施形態を模式的に示す斜視図、図２は、本発明の生体情報取得システムの第１実施形態が有する検出素子を皮膚に装着した状態を示す側面図、図３は、図２に示す検出素子が備える本体部を示す縦断面図、図４は、図１に示す生体情報取得システムの回路構成を示すブロック図である。なお、以下の説明では、図２、図３中の上側を「上」、下側を「下」と言う。
【００３９】
生体情報取得システム１０１（光学式センサー）は、図１、図２に示すように、検出素子１００と、検出素子１００においてグルコース濃度に基づく強度を得るための回路部４００および得られた強度に基づいてグルコース濃度を算出する演算部２００を備えた制御部２１０と、制御部２１０で演算することで得られた測定値（グルコース濃度）を表示するモニター（表示部）１５１と、入力等の各操作を行う操作部２１２と、検出素子１００を制御部２１０に接続するコネクター１３１と、検出素子１００とコネクター１３１とを接続する配線１３２とを有する。なお、本実施形態では、生体情報取得システム１０１が備える制御部２１０、モニター１５１、操作部２１２およびコネクター１３１が本体１５５に設けられ、検出素子１００と本体１５５とが配線１３２により接続されている。
【００４０】
検出素子１００は、図１〜図３に示すとおり、皮膚の表皮５０１に装着される本体部１１０と、真皮５０２に埋設（留置）されるセンサーフィルム１２０とを有している。
【００４１】
この検出素子１００では、本体部１１０により、真皮５０２に埋設されたセンサーフィルム１２０に対して励起光が照射され、そして、この励起光によりセンサーフィルム１２０に含まれる蛍光物質が蛍光を発光し、この蛍光を本体部１１０により受光する。
【００４２】
この際、蛍光物質が発光する蛍光の波長（ピーク波長）が、蛍光物質にグルコースが結合しているときと、結合していないときとでは異なり、蛍光物質にグルコースが結合しているときに発光する波長の強度が、真皮５０２に含まれる間質液中に含有されるグルコース濃度に依存する。そのため、この強度に基づいて、グルコースの濃度が算出される。
【００４３】
センサーフィルム１２０（センサー物質）は、本実施形態では、その全体形状がフィルム状をなし、生体（真皮５０２）に埋め込まれている。そして、励起光を受けて、間質液に含まれるグルコースが結合することで固有の波長（ピーク波長；第１の波長）を有する蛍光（第１の光）を発光（放出）し、かつ、間質液中におけるグルコース濃度に応じた強度（蛍光強度）で発光する蛍光物質（信号物質）を含んでいる。
【００４４】
この蛍光物質としては、例えば、９、１０−ビス［Ｎ−［２−（５，５−ジメチルボリナン−２−イル）ベンジル］−Ｎ−［６‘−［（アクリロイルポリエチレングリコール−３４００）カルボニルアミノ］−ｎ−ヘキシルアミノ］メチル］−２−アセチルアントラセン（Ｆ−ＰＥＧ−ＡＡｍ）等が挙げられる。このような蛍光物質がセンサーフィルム１２０に含まれることで、本体部１１０による励起光を受けて、間質液中におけるグルコース濃度に応じた強度で蛍光（第１の光）を発光する。
【００４５】
さらに、本発明では、この蛍光物質の他に、センサーフィルム１２０は、間質液中におけるグルコースの有無に影響されない、固有の波長（ピーク波長；第２の波長）を有する蛍光（第２の光）を発光する基準物質を含んでいる。この際、基準物質が発光する蛍光（第２の光）の波長（第２の波長）は、蛍光物質が発光する蛍光（第１の光）の波長（第１の波長）とは異なるものが選択される。
【００４６】
この基準物質としては、上述した蛍光物質が間質液に対して接触しないようにコーティングされたものを用いることができる他、特開昭６３−７０１５１に記載のようなランタニド錯体を酸素に対して接触しないようにコーティングされたもの等が挙げられる。このような基準物質がセンサーフィルム１２０に含まれることで、本体部１１０による励起光を受けて、間質液中におけるグルコース濃度に依存することなく、この励起光の強度に応じた強度で蛍光（第２の光）を発光する。
【００４７】
以上のように、本発明では、センサーフィルム１２０（センサー物質）は、励起光を受けて、間質液（生体）におけるグルコース（所定物質）に応じた蛍光（第１の光）を発光（放出）する蛍光物質（信号物質）と、間質液中におけるグルコースの濃度に影響されない、蛍光（第２の光）を発光（放出）する基準物質とを含んでいる。
【００４８】
また、蛍光物質と基準物質とは、別体としてセンサーフィルム１２０中に含まれていてもよいが、連結体として含まれていることが好ましい。これにより、センサーフィルム１２０に含まれる蛍光物質と基準物質との含有量が均一なものとなるため、励起光により発光する第１の光および第２の光の強度にバラツキが生じるのを的確に抑制または防止することができる。
【００４９】
また、このセンサーフィルム１２０が真皮５０２に埋設（留置）される深さは、通常、表皮５０１からの距離が好ましくは１ｍｍ以上１０ｍｍ以下程度、より好ましくは２ｍｍ以上４ｍｍ以下程度に設定される。前記深さをかかる範囲内に設定することで、本体部１１０からの励起光をセンサーフィルム１２０に到達させることができ、かつ、センサーフィルム１２０が発光した第１の光および第２の光を本体部１１０に到達させることができる。
【００５０】
なお、本実施形態では、生体内に埋め込むセンサー物質として、フィルム状をなすセンサーフィルム１２０を埋設しているが、これに限らず、センサー物質は、粒子状、ゲル状、鱗片状等、その形状は限定されるものではない。
【００５１】
本体部１１０は、その全体形状がドーム状をなす筐体１５０と、筐体１５０が備える中空部内に配置され、センサーフィルム１２０に励起光を照射し、かつ、センサーフィルム１２０からの第１の波長の蛍光（第１の光）および第２の波長の蛍光（第２の光）を受光する検出部３００とを備えている。
【００５２】
筐体１５０は、下面に粘着層を備えており、この下面を表皮５０１に、当接させることで、本体部１１０が表皮５０１に装着（固定）される。また、筐体１５０の下面は、光透過性を有し、これにより、検出部３００からの励起光がセンサーフィルム１２０に筐体１５０の下面を介して照射され、センサーフィルム１２０からの第１の光および第２の光が検出部３００に筐体１５０の下面を介して導入される。
【００５３】
検出部３００は、図３に示すとおり、基板３１０と、励起光を発光する光源３２０と、第１の受光部３３０と、第２の受光部３４０とを有している。
【００５４】
基板３１０（ベース基板）は、検出部３００を構成する各部、すなわち、光源３２０、第１の受光部３３０および第２の受光部３４０を支持するものである。また、この基板３１０には、配線１３２が接続され、検出部３００を構成する各部と制御部２１０とが電気的に接続されている。
【００５５】
光源３２０は、励起光を発光し、この励起光を生体である皮膚（表皮５０１）へ照射することで、その深部にある、真皮５０２に埋め込まれた（留置された）センサーフィルム１２０に励起光を照射するためのものである。
【００５６】
この光源３２０としては、センサーフィルム１２０に含まれる蛍光物質および基準物質がそれぞれ第１の光および第２の光を発光する励起光を含むものであれば特に限定されず、例えば、発光ダイオード（ＬＥＤ）、有機エレクトロルミネッセンス素子（有機ＥＬ素子）、レーザー発光素子等の各種発光素子が挙げられる。なお、光源３２０（各種発光素子）が発光する励起光は、赤外線、可視光および紫外線のいずれを含むものであってもよい。
【００５７】
第１の受光部３３０は、センサーフィルム１２０において、励起光が照射されることにより蛍光物質が発光した蛍光（第１の光）を受光し、この第１の光の強度（第１の強度）を測定するためのものである。
【００５８】
この第１の受光部３３０としては、特に限定されず、例えば、フォトダイオード、フォトトランジスタ、光導電セルおよびイメージセンサー等が挙げられる。
【００５９】
また、第１の受光部３３０の感光性表面上に、本実施形態では、第１の波長を含む光（第１の光）の通過を許容するハイパスフィルターまたはバンドパスフィルターのような光学フィルター３３５が設けられている。この光学フィルター３３５は、第２の波長を含む光（第２の光）をカットするものが好ましい。これにより、この光学フィルター３３５は、光源３２０からの励起光および基準物質からの第２の光を第１の受光部３３０が受光するのを抑制または防止するとともに、蛍光物質からの第１の光が透過するのを許容して、第１の光を選択的に第１の受光部３３０に導入する。その結果、励起光および第２の光、さらには、太陽光や照明光等の外光に起因するノイズを低減させることができるため、第１の光の検出精度の向上が図られる。
【００６０】
第２の受光部３４０は、センサーフィルム１２０において、励起光が照射されることにより基準物質が発光した蛍光（第２の光）を受光し、この第２の光の強度（第２の強度）を測定するためのものである。
【００６１】
この第２の受光部３４０としては、前述した第１の受光部３３０で挙げたものと同様のものを用いることができる。
【００６２】
また、第２の受光部３４０の感光性表面上に、本実施形態では、第２の波長を含む光（第２の光）の通過を許容するハイパスフィルターまたはバンドパスフィルターのような光学フィルター３４５が設けられている。この光学フィルター３４５は、第１の波長を含む光（第１の光）をカットするものが好ましい。これにより、この光学フィルター３４５は、光源３２０からの励起光および信号物質からの第１の光を第２の受光部３４０が受光するのを抑制または防止するとともに、基準物質からの第２の光が透過するのを許容して、第２の光を選択的に第２の受光部３４０に導入する。その結果、励起光および第１の光、さらには、太陽光や照明光等の外光に起因するノイズを低減させることができるため、第２の光の検出精度の向上が図られる。
【００６３】
制御部２１０は、本体１５５内に設けられ、例えば、ＣＰＵやメモリー等が組み合わされることで構成され、検出素子１００およびモニター１５１（表示部）等の各部の作動、すなわち、生体情報取得システム１０１の全体の作動を制御する。
【００６４】
この制御部２１０は、図４に示すように、記憶部２６１、検出部３００の各部を駆動する検出部駆動部としての回路部４００、データ表示指示部２９９および演算部２００を備える。
【００６５】
記憶部２６１は、生体情報取得システム１０１の全体動作を制御するためのＯＳや、各種機能を実現するためのプログラムや、第１の受光部３３０および第２の受光部３４０でそれぞれ測定された第１の強度および第２の強度に基づいてグルコース濃度を算出するための複数の検量線を含む各種データが記憶される。また、記憶部２６１には、測定された第１の強度および第２の強度等を一時記憶する一時記憶領域を備える。
【００６６】
そして、記憶部２６１には、測定された第１の強度および第２の強度に基づいて検量線を用いて算出されたグルコース濃度の経時的な変化を示すデータが記憶される。
【００６７】
データ表示指示部２９９は、演算部２００により検量線を用いて算出されたグルコース濃度や、グルコース濃度が測定された日時等を、モニター（表示部）１５１に表示させる。
【００６８】
回路部４００は、例えば、測定者による操作部２１２の操作により設定された、測定条件に基づいて、検出部３００が備える各部の駆動を制御する。
【００６９】
この回路部４００は、具体的には、光源３２０の駆動を制御する光源駆動部４００Ａと、第１の受光部３３０の駆動を制御する第１の受光駆動部４００Ｂと、第２の受光部３４０の駆動を制御する第２の受光駆動部４００Ｃとを備えている。
【００７０】
かかる構成の回路部４００において、まず、光源駆動部４００Ａの作動により、光源３２０を用いて生体に対して、すなわち、生体（真皮５０２）に埋設されたセンサーフィルム１２０に励起光を照射する。そして、第１の受光駆動部４００Ｂの作動により、励起光の照射により蛍光物質が発光した蛍光（第１の光）を第１の受光部３３０に受光させることで、この第１の光の強度（第１の強度）を取得し、その後、演算部２００に伝達する。さらに、第２の受光駆動部４００Ｃの作動により、励起光の照射により基準物質が発光した蛍光（第２の光）を第２の受光部３４０に受光させることで、この第２の光の強度（第２の強度）を取得し、その後、演算部２００に伝達する。
【００７１】
演算部２００は、記憶部２６１に記憶されたプログラムを読み込むことで演算処理を実行するものであり、離間距離算出部２００Ｂおよびグルコース濃度算出部２００Ａを備えている。
【００７２】
離間距離算出部２００Ｂは、第２の受光部３４０で取得された第２の強度と、本体部１１０とセンサーフィルム１２０との離間距離との関係を示す検量線を記憶部２６１から読み込み、さらに、この検量線と第２の受光部３４０で取得された第２の強度とから、本体部１１０とセンサーフィルム１２０との離間距離を導くためのものである。
【００７３】
換言すれば、離間距離算出部２００Ｂは、第２の受光部３４０で受光した第２の光の強度（第２の強度）に基づいて、本体部１１０すなわち第２の受光部３４０とセンサーフィルム１２０（センサー物質）との離間距離を求めるためのものである。
【００７４】
また、グルコース濃度算出部２００Ａは、離間距離の大きさに対応して複数用意された、第１の受光部３３０で取得された第１の強度と、グルコース濃度との関係を示す検量線のうち、離間距離算出部２００Ｂにおいて算出された離間距離の大きさに合致するものを記憶部２６１から読み込み、さらに、この検量線と第１の受光部３３０で取得された第１の強度とから、間質液におけるグルコース濃度（所定物質）を求めるためのものである。
【００７５】
すなわち、グルコース濃度算出部２００Ａは、第１の受光部３３０で受光した第１の光の強度（第１の強度）に基づいて、補正がなされたグルコース（所定物質）の濃度を求めるためのものである。
【００７６】
この演算部２００により算出されたグルコース濃度が、データ表示指示部２９９の作動により、モニター１５１において表示される。
【００７７】
さて、かかる構成の本実施形態の生体情報取得システム１０１では、第２の受光部３４０を用いて、第２の光の強度（第２の強度；第２の受光部３４０の受光結果）を測定し、さらに、予め記憶部２６１に記憶させておいた、第２の強度と、本体部１１０とセンサーフィルム１２０との離間距離との関係を示す検量線に基づいて、離間距離算出部２００Ｂにおいて本体部１１０とセンサーフィルム１２０との離間距離を演算する。
【００７８】
そして、予め記憶部２６１に記憶させておいた、離間距離の大きさに対応して複数用意された、第１の受光部３３０で取得された第１の強度と、グルコース濃度との関係を示す検量線のうち、離間距離算出部２００Ｂにおいて算出された離間距離の大きさに合致するものを読み込む。そして、この読み込まれた検量線に基づいて、第１の受光部３３０を用いて測定された第１の光の強度（第１の強度；第１の受光部３３０の受光結果）を用いて、グルコース濃度算出部２００Ａにおいて被対象物としてのグルコース濃度（所定物質）を演算する。
【００７９】
このように、離間距離算出部２００Ｂにおいて演算された本体部１１０とセンサーフィルム１２０との離間距離を考慮して、グルコース濃度算出部２００Ａ（演算部２００）は、グルコース濃度算出部２００Ａにおいて被対象物としてのグルコース濃度（所定物質）を演算する。すなわち、第１の受光部３３０の受光結果を、第２の受光部３４０の受光結果によって補正して、グルコース濃度（所定物質）の濃度を算出することから、センサーフィルム１２０の埋込み位置や、本体部１１０の装着位置に左右されることなく、優れた信頼性をもってグルコース濃度を測定することができる。
【００８０】
また、太陽光や照明光等の外光が、本体部１１０の下面を透過して、検出部３００に到達し、第１の受光部３３０と第２の受光部３４０との双方が受光したとしても、双方が受光してこれがベースラインとなるため、算出されるグルコース濃度に悪影響を及ぼすのを的確に抑制または防止することができる。そのため、かかる観点からも、生体情報取得システム１０１によれば、優れた信頼性をもってグルコース濃度を測定することができる。
【００８１】
（測定方法）
以上のような第１実施形態の生体情報取得システム１０１を用いた、間質液中におけるグルコース濃度の測定は、具体的には、例えば、以下のような第１の方法および第２の方法により実施される。
【００８２】
図５は、第１実施形態の生体情報取得システムを用いて、グルコース濃度を測定する測定方法を示すフローチャートである。
【００８３】
［第１の方法］
まず、第１実施形態の生体情報取得システム１０１を用いてグルコース濃度を測定する第１の方法について説明する。
【００８４】
［１Ａ］まず、測定者（ユーザー）は、センサーフィルム１２０を真皮５０２に埋設して、センサーフィルム１２０に間質液を接触させることで、安定化させる（Ｓ１ａ）。
【００８５】
また、この際、測定者は、操作部２１２の操作により、グルコース濃度を測定する期間（時間）等の測定条件を入力する。
【００８６】
［２Ａ］次に、制御部２１０は、光源駆動部４００Ａを作動させることで、光源３２０が作動し、皮膚（生体）に励起光が照射される（励起光照射ステップ；Ｓ２ａ）。
【００８７】
これにより、生体の真皮５０２に埋設されたセンサーフィルム１２０に対して励起光が照射される。すなわち、光源３２０からの励起光を受けて、生体におけるグルコース（所定物質）の濃度に応じた第１の光を放出する信号物質と、前記濃度に影響されない第２の光を放出する基準物質と、を含み、かつ、予め皮膚（生体）の真皮５０２に埋め込まれたセンサーフィルム１２０（センサー物質）に、励起光を照射する。その結果、この励起光によりセンサーフィルム１２０に含まれる蛍光物質が第１の波長のピーク波長を有する蛍光（第１の光）を発光し、さらに、センサーフィルム１２０に含まれる基準物質が第２の波長のピーク波長を有する蛍光（第２の光）を発光する。
【００８８】
［３Ａ］次に、制御部２１０は、第１の受光駆動部４００Ｂを作動させることで、前記工程［２Ａ］において、蛍光物質が発光した蛍光（第１の光）を、第１の受光部３３０を用いて受光して、この第１の光の第１の波長における強度（第１の強度；第１の受光部３３０の受光結果）を測定する（第１受光ステップ；Ｓ３ａ）。そして、この第１の強度を、記憶部２６１に一時的に記憶させる。
【００８９】
［４Ａ］次に、制御部２１０は、第２の受光駆動部４００Ｃを作動させることで、前記工程［２Ａ］において、基準物質が発光した蛍光（第２の光）を第２の受光部３４０を用いて受光して、この第２の光の第２の波長における強度（第２の強度；第２の受光部３４０の受光結果）を測定する（第２受光ステップ；Ｓ４ａ）。そして、この第２の強度を、記憶部２６１に一時的に記憶させる。
【００９０】
なお、前記工程［３Ａ］と本工程［４Ａ］とは、その順序が、ほぼ同時であってもよいし、逆転していてもよい。
【００９１】
［５Ａ］次に、制御部２１０は、演算部２００（離間距離算出部２００Ｂ）を作動させることで、第２の受光部３４０で取得された第２の強度と、本体部１１０とセンサーフィルム１２０との離間距離との関係を示す検量線、および、前記工程［４Ａ］において測定された第２の強度を、記憶部２６１から取り出し、この検量線を用いて、本体部１１０とセンサーフィルム１２０との離間距離を求める（Ｓ５ａ）。
【００９２】
すなわち、第２の受光部３４０で受光した第２の光の強度（第２の強度）に基づいて、本体部１１０（光源３２０、第１の受光部３３０および第２の受光部３４０）と、センサーフィルム１２０（センサー物質）との間の離間距離を求める。
【００９３】
［６Ａ］次に、制御部２１０は、演算部２００（グルコース濃度算出部２００Ａ）を作動させることで、前記工程［５Ａ］で求めた本体部１１０とセンサーフィルム１２０との離間距離の大きさに対応する、第１の受光部３３０で取得された第１の強度と、グルコース濃度との関係を示す検量線を、記憶部２６１から取り出す。さらに、前記工程［３Ａ］において測定された第１の強度を、記憶部２６１から取り出し、取り出した検量線を用いて、間質液中におけるグルコース濃度を求める（Ｓ６ａ）。
【００９４】
すなわち、前記工程［５Ａ］において求められた前記離間距離と、第１の受光部３３０で受光した第１の光の強度（第１の強度）とに基づいて、補正がなされた間質液中におけるグルコース濃度（所定物質の濃度）を求める。
【００９５】
このように、前記工程［５Ａ］において、離間距離算出部２００Ｂにより演算された本体部１１０とセンサーフィルム１２０との離間距離を考慮して、本工程［６Ａ］において、グルコース濃度算出部２００Ａにより、被対象物としてのグルコース濃度（所定物質）を演算することから、センサーフィルム１２０の埋込み位置や、本体部１１０の装着位置に左右されることなく、優れた信頼性をもってグルコース濃度を測定することができる。
【００９６】
また、前記工程［３Ａ］および前記工程［４Ａ］において、太陽光や照明光等の外光が、本体部１１０の下面を透過して、検出部３００に到達し、第１の受光部３３０と第２の受光部３４０との双方が受光したとしても、双方が受光してこれがベースラインとなるため、算出されるグルコース濃度に悪影響を及ぼすのを的確に抑制または防止することができる。そのため、かかる観点からも、生体情報取得システム１０１によれば、優れた信頼性をもってグルコース濃度を測定することができる。
【００９７】
この測定方法では、前記離間距離を求める前記工程［５Ａ］と、グルコース（所定物質）の濃度を求める本工程［６Ａ］とにより、第１の受光部３３０の受光結果を、第２の受光部３４０の受光結果によって補正して、前記所定物質の濃度を求める演算ステップが構成される。
【００９８】
［７Ａ］次に、制御部２１０は、データ表示指示部２９９を作動させることで、前記工程［６Ａ］で算出されたグルコース濃度を、モニター１５１（表示部）に表示させる（Ｓ７ａ）。
【００９９】
また、この表示に併せて、必要に応じて、グルコース濃度を記憶部２６１に記憶させる。
【０１００】
なお、前記工程［２Ａ］〜前記工程［６Ａ］は、１回であってもよいが、前記工程［２Ａ］〜前記工程［６Ａ］を繰り返して行い、この間に測定されたグルコース濃度の平均値を求めることにより、グルコース濃度が平均化されるため、グルコース濃度をより優れた信頼度で求めることができる。
【０１０１】
そして、以上のような前記工程［２Ａ］〜前記工程［６Ａ］が、所定の間隔を空けて繰り返して行われ、これにより、間質液中におけるグルコース濃度が連続的に測定される。
【０１０２】
［第２の方法］
次に、第１実施形態の生体情報取得システム１０１を用いてグルコース濃度を測定する第２の方法について説明する。
【０１０３】
ただし、この第２の方法では、前述した第１の方法における前記工程［１Ａ］〜前記工程［７Ａ］のうち、前記工程［２Ａ］〜前記工程［４Ａ］が異なり、その他の工程については同様であることから、その説明を省略し、以下、前記工程［２Ａ］〜前記工程［４Ａ］と異なる工程［２Ｂ］〜工程［４Ｂ］について説明する。
【０１０４】
［２Ｂ］まず、前記工程［１Ａ］の後に、制御部２１０は、光源駆動部４００Ａを作動させることで、光源３２０が作動し、皮膚（生体）に励起光が照射される（励起光照射ステップ；Ｓ２ａ）。
【０１０５】
この際、第２の方法では、制御部２１０は、正弦波のような周期的変化を示す変調がかけられた搬送波として励起光を照射する。
【０１０６】
これにより、センサーフィルム１２０に対して、前記搬送波として励起光が照射されるため、この励起光により発光するセンサーフィルム１２０に含まれる蛍光物質および基準物質は、それぞれ、前記搬送波と同一の周波数・位相を有する第１の光および第２の光を発光する。
【０１０７】
［３Ｂ］次に、制御部２１０は、第１の受光駆動部４００Ｂを作動させることで、前記工程［２Ｂ］において、蛍光物質が発光した、前記搬送波と同一の周波数・位相を有する第１の光を、第１の受光部３３０を用いて受光して、この第１の光の第１の波長における強度（第１の強度；第１の受光部３３０の受光結果）を測定する（第１受光ステップ；Ｓ３ａ）。そして、第１の光の第１の波長における強度（第１の強度）も、前記搬送波と同一の周波数・位相を有するが、この第１の強度と、前記搬送波とを掛け合わせる（乗算する）同期検波により、検波された第１の強度を得る。その後、この検波された第１の強度を、記憶部２６１に一時的に記憶させる。
【０１０８】
［４Ｂ］次に、制御部２１０は、第２の受光駆動部４００Ｃを作動させることで、前記工程［２Ｂ］において、基準物質が発光した、前記搬送波と同一の周波数・位相を有する第２の光を第２の受光部３４０を用いて受光して、この第２の光の第２の波長における強度（第２の強度；第２の受光部３４０の受光結果）を測定する（第２受光ステップ；Ｓ４ａ）。そして、第２の光の第２の波長における強度（第２の強度）も、前記搬送波と同一の周波数・位相を有するが、この第２の強度と、前記搬送波とを掛け合わせる（乗算する）同期検波により、検波された第２の強度を得る。その後、この検波された第２の強度を、記憶部２６１に一時的に記憶させる。
【０１０９】
なお、第２の方法においても、前記工程［３Ｂ］と本工程［４Ｂ］とは、その順序が、ほぼ同時であってもよいし、逆転していてもよい。
【０１１０】
上記のような工程［２Ｂ］〜工程［４Ｂ］を経ることで、光源３２０（搬送波）の周波数を用いて、第１の受光部３３０の受光結果と、第２の受光部３４０の受光結果とをそれぞれ同期検波する補正がなされる。
【０１１１】
このような同期検波を用いた補正によれば、特に、太陽光や照明光等の外光が第１の受光部３３０および第２の受光部３４０の少なくとも一方に入り込むことに起因するノイズをより確実に低減させることができる。その結果、算出されるグルコース濃度（所定物質の濃度）が、より優れた信頼性を有するものとして得られることとなる。
【０１１２】
＜＜第２実施形態＞＞
次に、本発明の生体情報取得システムの第２実施形態について説明する。
【０１１３】
図６は、本発明の生体情報取得システムの第２実施形態が有する検出素子が備える本体部を示す縦断面図である。
【０１１４】
以下、第２実施形態の生体情報取得システム１０１について、前記第１実施形態の生体情報取得システム１０１との相違点を中心に説明し、同様の事項については、その説明を省略する。
【０１１５】
第２実施形態の生体情報取得システム１０１は、図６に示す本体部１１０が備える検出部３００の構成、さらに、かかる生体情報取得システム１０１を用いたグルコース濃度の測定方法が異なる以外は、第１実施形態の生体情報取得システム１０１と同様である。
【０１１６】
すなわち、第２実施形態の生体情報取得システム１０１において、検出部３００は、励起光を照射する光源として、第１の光源３２５と第２の光源３２６との２つを備えている。
【０１１７】
この２つの光源のうち第１の光源３２５は、センサーフィルム１２０に含まれる蛍光物質が蛍光（第１の光）を発光する励起光（第１の励起光）を生体へ照射し、また、第２の光源３２６は、センサーフィルム１２０に含まれる基準物質が蛍光（第２の光）を発光する励起光（第２の励起光）を生体へ照射する。
【０１１８】
なお、この際、第１の光源３２５は、基準物質が蛍光を発光する励起光を生体へ照射する波長領域を有するもの、照射しない波長領域を有するもののいずれであってもよいが、後者であることが好ましい。これにより、第１の光源３２５による励起光の照射の際に、センサーフィルム１２０に含まれる基準物質が蛍光を発光するのを防止することができる。そのため、第２の光源３２６によるセンサーフィルム１２０（基準物質）に対する照射の際に、第１の光源３２５からの励起光により信号物質が発光することが防止される。したがって、これに起因するノイズの発生が防止され、グルコース濃度の測定の測定精度の向上が図られる。
【０１１９】
また、第２の光源３２６は、蛍光物質が蛍光を発光する励起光を生体へ照射する波長領域を有するもの、照射しない波長領域を有するもののいずれであってもよいが、後者であることが好ましい。これにより、第２の光源３２６による励起光の照射の際に、センサーフィルム１２０に含まれる蛍光物質が蛍光を発光するのを防止することができる。そのため、第１の光源３２５によるセンサーフィルム１２０（蛍光物質）に対する照射の際に、第２の光源３２６からの励起光により蛍光物質が発光することが防止される。したがって、これに起因するノイズの発生が防止され、グルコース濃度の測定の測定精度の向上が図られる。
【０１２０】
（測定方法）
以上のような第２実施形態の生体情報取得システム１０１を用いた、間質液中におけるグルコース濃度の測定は、具体的には、例えば、以下のような第３の方法および第４の方法により実施される。
【０１２１】
図７は、第２実施形態の生体情報取得システムを用いて、グルコース濃度を測定する測定方法を示すフローチャートである。
【０１２２】
［第３の方法］
まず、第２実施形態の生体情報取得システム１０１を用いてグルコース濃度を測定する第３の方法について説明する。
【０１２３】
［１Ｃ］まず、測定者（ユーザー）は、センサーフィルム１２０を真皮５０２に埋設して、センサーフィルム１２０に間質液を接触させることで、安定化させる（Ｓ１ｂ）。
【０１２４】
また、この際、測定者は、操作部２１２の操作により、グルコース濃度を測定する期間（時間）等の測定条件を入力する。
【０１２５】
［２Ｃ］次に、制御部２１０は、光源駆動部４００Ａを作動させることで、第１の光源３２５が作動し、皮膚（生体）に励起光（第１の励起光）が照射される（第１の励起光照射ステップ；Ｓ２ｂ）。
【０１２６】
これにより、生体の真皮５０２に埋設されたセンサーフィルム１２０に対して励起光（第１の励起光）が照射される。その結果、この第１の励起光によりセンサーフィルム１２０に含まれる蛍光物質が第１の波長のピーク波長を有する蛍光（第１の光）を発光する。
【０１２７】
［３Ｃ］次に、制御部２１０は、第１の受光駆動部４００Ｂを作動させることで、前記工程［２Ｃ］において蛍光物質が発光した蛍光（第１の光）を、第１の受光部３３０を用いて受光して、この第１の光の第１の波長における強度（第１の強度；第１の受光部３３０の受光結果）を測定する（第１受光ステップ；Ｓ３ｂ）。そして、この第１の強度を、記憶部２６１に一時的に記憶させる。
【０１２８】
［４Ｃ］次に、制御部２１０は、光源駆動部４００Ａを作動させることで、第２の光源３２６が作動し、皮膚（生体）に励起光（第２の励起光）が照射される（第２の励起光照射ステップ；Ｓ４ｂ）。
【０１２９】
これにより、生体の真皮５０２に埋設されたセンサーフィルム１２０に対して励起光（第２の励起光）が照射される。その結果、この第２の励起光によりセンサーフィルム１２０に含まれる基準物質が第２の波長のピーク波長を有する蛍光（第２の光）を発光する。
【０１３０】
［５Ｃ］次に、制御部２１０は、第２の受光駆動部４００Ｃを作動させることで、前記工程［４Ｃ］において基準物質が発光した蛍光（第２の光）を、第２の受光部３４０を用いて受光して、この第２の光の第２の波長における強度（第２の強度；第２の受光部３４０の受光結果）を測定する（第２受光ステップ；Ｓ５ｂ）。そして、この第２の強度を、記憶部２６１に一時的に記憶させる。
【０１３１】
なお、前記工程［２Ｃ］および前記工程［３Ｃ］と、前記工程［４Ｃ］および前記工程［５Ｃ］とは、その順序が、ほぼ同時であってもよいし、逆転していてもよいが、上記の順序または逆転している順序であることが好ましい。これにより、第１の光と第２の光とのクロストークが生じるのを確実に抑制または防止することができるため、前記工程［２Ｃ］および前記工程［３Ｃ］による、第１の強度の測定精度の向上が図られ、また、前記工程［４Ｃ］および前記工程［５Ｃ］による、第２の強度の測定精度の向上が図られる。
【０１３２】
［６Ｃ］次に、制御部２１０は、演算部２００（離間距離算出部２００Ｂ）を作動させることで、第２の受光部３４０で取得された第２の強度と、本体部１１０とセンサーフィルム１２０との離間距離との関係を示す検量線、および、前記工程［５Ｃ］において測定された第２の強度を、記憶部２６１から取り出し、この検量線を用いて、本体部１１０とセンサーフィルム１２０との離間距離を求める（Ｓ６ｂ）。
【０１３３】
［７Ｃ］次に、制御部２１０は、演算部２００（グルコース濃度算出部２００Ａ）を作動させることで、前記工程［６Ｃ］で求めた本体部１１０とセンサーフィルム１２０との離間距離の大きさに対応する、第１の受光部３３０で取得された第１の強度と、グルコース濃度との関係を示す検量線を、記憶部２６１から取り出す。さらに、前記工程［３Ｃ］において測定された第１の強度を、記憶部２６１から取り出し、取り出した検量線を用いて、間質液中におけるグルコース濃度を求める（Ｓ７ｂ）。
【０１３４】
すなわち、前記工程［６Ｃ］において求められた前記離間距離と、第１の受光部３３０で受光した第１の光の強度（第１の強度）とに基づいて、補正がなされた間質液中におけるグルコース濃度（所定物質の濃度）を求める。
【０１３５】
［８Ｃ］次に、制御部２１０は、データ表示指示部２９９を作動させることで、前記工程［７Ｃ］で算出されたグルコース濃度を、モニター１５１（表示部）に表示させる（Ｓ８ｂ）。
【０１３６】
また、この表示に併せて、必要に応じて、グルコース濃度を記憶部２６１に記憶させる。
【０１３７】
なお、前記工程［２Ｃ］〜前記工程［７Ｃ］は、１回であってもよいが、前記工程［２Ｃ］〜前記工程［７Ｃ］を繰り返して行い、この間に測定されたグルコース濃度の平均値を求めることにより、グルコース濃度が平均化されるため、グルコース濃度をより優れた信頼度で求めることができる。
【０１３８】
そして、以上のような前記工程［２Ｃ］〜前記工程［７Ｃ］が、所定の間隔を空けて繰り返して行われ、これにより、間質液中におけるグルコース濃度が連続的に測定される。
【０１３９】
［第４の方法］
次に、第２実施形態の生体情報取得システム１０１を用いてグルコース濃度を測定する第４の方法について説明する。
【０１４０】
ただし、この第４の方法では、前述した第３の方法における前記工程［１Ｃ］〜前記工程［８Ｃ］のうち、前記工程［２Ｃ］〜前記工程［５Ｃ］が異なり、その他の工程については同様であることから、その説明を省略し、以下、前記工程［２Ｃ］〜前記工程［５Ｃ］と異なる工程［２Ｄ］〜工程［５Ｄ］について説明する。
【０１４１】
［２Ｄ］まず、前記工程［１Ｃ］の後に、制御部２１０は、光源駆動部４００Ａを作動させることで、第１の光源３２５が作動し、皮膚（生体）に励起光（第１の励起光）が照射される（第１の励起光照射ステップ；Ｓ２ｂ）。
【０１４２】
この際、第４の方法では、制御部２１０は、正弦波のような周期的変化を示す変調がかけられた搬送波として第１の励起光を照射する。
【０１４３】
これにより、センサーフィルム１２０に対して、前記搬送波として励起光が照射されるため、この第１の励起光により発光するセンサーフィルム１２０に含まれる蛍光物質は、前記搬送波と同一の周波数・位相を有する第１の光を発光する。
【０１４４】
［３Ｄ］次に、制御部２１０は、第１の受光駆動部４００Ｂを作動させることで、前記工程［２Ｄ］において、蛍光物質が発光した、前記搬送波と同一の周波数・位相を有する第１の光を、第１の受光部３３０を用いて受光して、この第１の光の第１の波長における強度（第１の強度；第１の受光部３３０の受光結果）を測定する（第１受光ステップ；Ｓ３ｂ）。そして、第１の光の第１の波長における強度（第１の強度）も、前記搬送波と同一の周波数・位相を有するが、この第１の強度と、前記搬送波とを掛け合わせる（乗算する）同期検波により、検波された第１の強度を得る。その後、この検波された第１の強度を、記憶部２６１に一時的に記憶させる。
【０１４５】
［４Ｄ］次に、制御部２１０は、光源駆動部４００Ａを作動させることで、第２の光源３２６が作動し、皮膚（生体）に励起光（第２の励起光）が照射される（第２の励起光照射ステップ；Ｓ４ｂ）。
【０１４６】
この際、第４の方法では、制御部２１０は、正弦波のような周期的変化を示す変調がかけられた搬送波として第２の励起光を照射する。
【０１４７】
これにより、センサーフィルム１２０に対して、前記搬送波として励起光が照射されるため、この第２の励起光により発光するセンサーフィルム１２０に含まれる基準物質は、前記搬送波と同一の周波数・位相を有する第２の光を発光する。
【０１４８】
［５Ｄ］次に、制御部２１０は、第２の受光駆動部４００Ｃを作動させることで、前記工程［２Ｄ］において、基準物質が発光した、前記搬送波と同一の周波数・位相を有する第２の光を第２の受光部３４０を用いて受光して、この第２の光の第２の波長における強度（第２の強度；第２の受光部３４０の受光結果）を測定する（第２受光ステップ；Ｓ５ｂ）。そして、第２の光の第２の波長における強度（第２の強度）も、前記搬送波と同一の周波数・位相を有するが、この第２の強度と、前記搬送波とを掛け合わせる（乗算する）同期検波により、検波された第２の強度を得る。その後、この検波された第２の強度を、記憶部２６１に一時的に記憶させる。
【０１４９】
なお、第４の方法においても、前記工程［２Ｄ］および前記工程［３Ｄ］と、前記工程［４Ｄ］および前記工程［５Ｄ］とは、その順序が、ほぼ同時であってもよいし、逆転していてもよいが、上記の順序または逆転している順序であることが好ましい。具体的には、第１の励起光（搬送波）と第２の励起光（搬送波）とは、位相関係が直交していることが好ましい。これにより、第１の光と第２の光とのクロストークが生じるのを確実に抑制または防止することができるため、前記工程［２Ｄ］および前記工程［３Ｄ］による、第１の強度の測定精度の向上が図られ、また、前記工程［４Ｄ］および前記工程［５Ｄ］による、第２の強度の測定精度の向上が図られる。
【０１５０】
また、このような同期検波を用いた補正によれば、特に、太陽光や照明光等の外光が第１の受光部３３０および第２の受光部３４０の少なくとも一方に入り込むことに起因するノイズをより確実に低減させることができる。その結果、算出されるグルコース濃度（所定物質の濃度）を、より優れた信頼性を有するものとして得ることができる。
【０１５１】
以上、本発明の生体情報取得システムおよび生体情報取得方法を図示の実施形態に基づいて説明したが、本発明はこれに限定されるものではない。
【０１５２】
例えば、本発明の生体情報取得システム（測定装置）における各部の構成は、同様の機能を有する任意の構成のものに置換することができる。また、本発明に、他の任意の構成物が付加されていてもよい。
【０１５３】
また、センサーフィルム１２０（センサー物質）を真皮５０２に挿入する他、皮下組織５０３に挿入するようにしてもよい。
【０１５４】
さらに、測定装置において、検出素子で測定された強度等は、配線を介することなく、回路部に伝達するようにしてもよく、例えば、通信手段を介して無線で、強度等を回路部に伝達するようにしてもよい。
【０１５５】
また、測定装置において、検出素子と表示部とは配線を介して接続されているものに限らず、これらが一体的に形成されているものであってもよい。
【０１５６】
また、本発明の生体情報取得システムは、間質液中におけるグルコース濃度を、測定された強度に基づいて経時的かつ自動的に算出する測定装置に適用し得る他、体液中の乳酸値、抗体量および酵素量等の被対象物質としての所定物質を強度に基づいて経時的かつ自動的に算出する測定装置についても同様に適用し得る。
【０１５７】
さらに、信号物質および基準物質に励起光を照射することで放出される光は蛍光に限らず、燐光であってもよい。
【０１５８】
また、本発明の生体情報取得方法は、任意の１または２以上の工程が追加されていてもよい。
【符号の説明】
【０１５９】
１００…検出素子、１０１…生体情報取得システム、１１０…本体部、１２０…センサーフィルム、１３１…コネクター、１３２…配線、１５０…筐体、１５１…モニター、１５５…本体、２００…演算部、２００Ａ…グルコース濃度算出部、２００Ｂ…離間距離算出部、２１０…制御部、２１２…操作部、２６１…記憶部、２９９…データ表示指示部、３００…検出部、３１０…基板、３２０…光源、３２５…第１の光源、３２６…第２の光源、３３０…第１の受光部、３３５…光学フィルター、３４０…第２の受光部、３４５…光学フィルター、４００…回路部、４００Ａ…光源駆動部、４００Ｂ…第１の受光駆動部、４００Ｃ…第２の受光駆動部、５０１…表皮、５０２…真皮、５０３…皮下組織
【図１】
2018149157.tif 000003
【図２】
2018149157.tif 000004
【図３】
2018149157.tif 000005
【図４】
2018149157.tif 000006
【図５】
2018149157.tif 000007
【図６】
2018149157.tif 000008
【図７】
2018149157.tif 000009